(57)【特許請求の範囲】
【請求項１】
カラー画像信号とともに、該カラー画像信号がカラー撮影モード及び白黒撮影モードのいずれの撮影モードで記録されたかを示す識別情報が記録された記録メディアからカラー画像信号及び前記識別情報を取り込む取込手段と、
前記取り込んだカラー画像信号を処理して白黒画像信号に変換するカラー／白黒変換手段と、
プリント実行時に前記識別情報に基づいて前記カラー画像信号がカラー撮影モードで記録されたと判別されると、該カラー画像信号をプリンタの機種に応じた色補正用ルックアップテーブルを用いて色補正したのちプリンタに出力し、白黒撮影モードで記録されたと判別されると、該カラー画像信号を前記カラー／白黒変換手段を介して変換した白黒画像信号をプリンタに出力するプリント出力手段と、
前記識別情報に基づいて前記カラー画像信号がカラー撮影モードで記録されたカラー画像信号であると判別されると、該カラー画像信号をモニタに出力し、白黒撮影モードで記録されたカラー画像信号であると判別されると、該カラー画像信号を前記カラー／白黒変換手段を介して変換した白黒画像信号をモニタに出力する手段と、
前記記録メディアに記録されたカラー画像信号のモニタ及びプリンタへの出力と、該カラー画像信号を前記カラー／白黒変換手段を介して変換した白黒画像信号のモニタ及びプリンタへの出力とを、前記識別情報にかかわらず切り替える切替手段と、
を備えたことを特徴とするプリント制御装置。
【発明の詳細な説明】
【０００１】
【発明の属する技術分野】
本発明は電子カメラ及びプリント制御装置に係り、特にカラー／白黒撮影及びカラー／白黒プリントが可能な電子カメラ及びプリント制御装置に関する。
【０００２】
【従来の技術】
従来、カラー／白黒プリントが可能な画像処理システムが提案されている（特開平５−１２２７２２号公報）。この画像処理システムは、カラー／白黒プリントにかかわらず常にカラービデオカメラによってカラー撮影を行い、シャッタボタンが押されると、カラービデオカメラによって取得したカラー画像信号を静止画として記憶する。そして、カラー／白黒選択ボタンによってカラーが選択されている場合にはその記憶したカラー画像信号をモニタに出力し、白黒が選択されている場合にはカラー画像信号を白黒画像信号に変換し、その変換した白黒画像信号をモニタに出力する。
【０００３】
その後、プリントボタンが押されると、カラー／白黒選択ボタンによってカラーが選択されている場合にはカラー画像信号をプリンタに出力し、白黒が選択されている場合には変換した白黒画像信号をプリンタに出力する。
これにより、モニタによりカラープリントされるか白黒プリントされるか、及びそのプリントされる画像をプリント前に確認することができるようになっている。
【０００４】
また、この画像処理システムは、シャッタボタンが押される前は、カラービデオカメラによって撮影している動画（カラー画像）をモニタに表示するようにしている。
【０００５】
【発明が解決しようとする課題】
しかしながら、上記従来の画像処理システムは、カラー／白黒選択ボタンでのカラー／白黒の選択にかかわらず、シャッタレリーズ前は常にカラー画像をモニタにムービー出力しており、シャッタレリーズ前にカラー撮影又は白黒撮影が行われるかをモニタで確認することができないという問題がある。
【０００６】
尚、カラー／白黒の選択にかかわらず、シャッタレリーズ時にカラー画像信号を取得し、白黒が選択されると、この取得したカラー画像信号を白黒画像信号に変換して白黒画像信号を得る場合であっても、予めカラー画像を得る目的で撮影する場合と、白黒画像を得る目的で撮影する場合とでは、撮影条件や構図等を異ならせることがあり、シャッタレリーズ前にカラー／白黒のいずれの撮影であるかを確認することは重要である。
【０００７】
本発明はこのような事情に鑑みてなされたもので、カラー／白黒の両方の撮影機能を有し、ユーザーにいずれの撮影が行われるかを容易に確認させることができ、またカラー／白黒撮影に対応した再生やプリント出力することができる電子カメラを提供することを目的とする。
また、本発明は、カラー／白黒の両方のプリント機能を有し、ユーザーにカラー／白黒のいずれのプリントが行われるかを容易に確認させることができ、更にカラー／白黒に対応した再生やプリント出力することができるとともに、プリント時にカラー／白黒を改めて設定して再生やプリント出力することができるプリント制御装置を提供することを目的とする。
【０００８】
【課題を解決するための手段】
前記目的を達成するために、本願請求項１に係る電子カメラは、カラー画像信号及び白黒画像信号の取得が可能な撮影手段と、カラー撮影モード又は白黒撮影モードを選択するためのカラー／白黒選択手段と、撮影画像の記録時にカラー／白黒撮影モードにかかわらず前記撮影手段によって取得したカラー画像信号を記録メディアに記録するとともに、該記録時の撮影モードがカラー／白黒撮影モードのいずれかを示す識別情報を記録メディアに記録する記録手段と、カラー撮影モード時に前記カラー画像信号をモニタに出力し、白黒撮影モード時に前記白黒画像信号をモニタに出力するムービー出力手段と、を備えたことを特徴としている。これにより、前記モニタに表示されている画像がカラー画像か白黒画像かにより、カラー撮影モードか白黒撮影モードのいずれが選択されているかを確認することができる。
【０００９】
本願請求項２に示すように前記カラー画像信号を処理して白黒画像信号を出力するカラー／白黒変換手段を有することを特徴としている。
本願請求項３に示すように、再生時に前記記録メディアに記録されたカラー画像信号を読み出し、該カラー画像信号とともに記録された前記識別情報がカラー撮影モードを示す場合には該カラー画像信号をモニタに出力し、前記識別情報が白黒撮影モードを示す場合には該カラー画像信号を前記カラー／白黒変換手段によって白黒画像信号に変換してモニタに出力することを特徴としている。
【００１０】
これにより、記録メディアにはカラー画像信号のみが記録されているが、前記識別情報に基づいて白黒画像として撮影された画像は白黒画像として再生され、カラー画像として撮影された画像はカラー画像として再生される。
また、本願請求項４に示すように、前記記録メディアに記録されたカラー画像信号のモニタへの出力と、該カラー画像信号を前記カラー／白黒変換手段を介して変換した白黒画像信号のモニタへの出力とを、前記識別情報にかかわらず切り替える切替手段を有することを特徴としている。これにより、白黒画像として撮影された画像であってもカラー画像として再生することができ、逆にカラー画像として撮影された画像であっても白黒画像として再生することができる。
【００１１】
本願請求項５に係る電子カメラは、カラー画像信号及び白黒画像信号の取得が可能な撮影手段と、カラープリント又は白黒プリントを選択するカラー／白黒選択手段と、カラープリント選択時に前記カラー画像信号をモニタに出力し、白黒プリント選択時に前記白黒画像信号をモニタに出力するムービー出力手段と、カラープリント選択時に前記カラー画像信号をプリンタに出力し、白黒プリント選択時に前記白黒画像信号をプリンタに出力するプリント出力手段と、を備えたことを特徴としている。これにより、前記モニタに表示されている画像がカラー画像か白黒画像かにより、カラープリントか白黒プリントのいずれが選択されているかを確認することができる。
【００１２】
本願請求項６に示すように、前記カラー画像信号を処理して白黒画像信号を出力するカラー／白黒変換手段を有することを特徴としている。
本願請求項７に係るプリント制御装置は、カラー画像信号とともに、該カラー画像信号がカラー撮影モード及び白黒撮影モードのいずれの撮影モードで記録されたかを示す識別情報が記録された記録メディアからカラー画像信号及び前記識別情報を取り込む取込手段と、前記取り込んだカラー画像信号を処理して白黒画像信号に変換するカラー／白黒変換手段と、プリント実行時に前記識別情報に基づいて前記カラー画像信号がカラー撮影モードで記録されたと判別されると、該カラー画像信号をプリンタに出力し、白黒撮影モードで記録されたと判別されると、該カラー画像信号を前記カラー／白黒変換手段を介して変換した白黒画像信号をプリンタに出力するプリント出力手段と、を備えたことを特徴としている。
【００１３】
これにより、記録メディアにはカラー画像信号のみが記録されているが、前記識別情報に基づいて白黒画像として撮影された画像は白黒画像としてプリントされ、カラー画像として撮影された画像はカラー画像としてプリントされる。
本願請求項８に示すように、前記識別情報に基づいて前記カラー画像信号がカラー撮影モードで記録されたカラー画像信号であると判別されると、該カラー画像信号をモニタに出力し、白黒撮影モードで記録されたカラー画像信号であると判別されると、該カラー画像信号を前記カラー／白黒変換手段を介して変換した白黒画像信号をモニタに出力する手段を有することを特徴としている。これにより、前記モニタに表示されている画像がカラー画像か白黒画像かにより、カラープリントか白黒プリントのいずれが選択されているかを確認することができる。
【００１４】
また、本願請求項９に示すように、前記記録メディアに記録されたカラー画像信号のモニタ及びプリンタへの出力と、該カラー画像信号を前記カラー／白黒変換手段を介して変換した白黒画像信号のモニタ及びプリンタへの出力とを、前記識別情報にかかわらず切り替える切替手段を有することを特徴としている。これにより、プリント時にカラー／白黒を改めて設定することができ、白黒画像として撮影された画像であってもカラー画像として再生及びプリントすることができ、逆にカラー画像として撮影された画像であっても白黒画像として再生及びプリントすることができる。
【００１５】
【発明の実施の形態】
以下添付図面に従って本発明に係る電子カメラ及びプリント制御装置の好ましい実施の形態について詳説する。
図１は本発明に係る電子カメラの実施の形態を示す外観斜視図である。電子カメラ１の正面中央部には撮影レンズ２の組み込まれた鏡胴３が取付けられ、撮影レンズ２の上方にはストロボ窓４、ファインダ窓５が形成されている。また、ファインダ窓の右側にはＡＦ（オートフォーカス）投光窓６、ＡＦ受光窓７が上下に並んで設けられている。尚、符号８はストロボ調光センサーである。
【００１６】
前記撮影レンズ２はズームレンズで構成され、電子カメラ１背面に設けられたズームレバー２０（図２参照）の操作に応じて駆動される図示せぬモータの駆動力によって焦点距離を9.2 ｍｍ〜25.8（35ｍｍカメラ換算で35ｍｍ〜105 ｍｍ相当）に変更できるようになっている。また、ファインダ窓５の内側には、詳しくは図示されていないが、対物系レンズを構成する移動レンズ群が配置され、撮影レンズ２の焦点距離の変更に連動して前記移動レンズが駆動されるズームファインダが構成される。更に、×２モードに設定することにより、２倍の電子ズームを行うことができる。即ち、光学ズームと電子ズームとによって最大６倍ズームまで可能になっている。
【００１７】
前記ＡＦ投光窓６の内側には赤外線発光ダイオード等の投光手段が設けられ、前記ＡＦ受光窓７の内側にはフォトダイオード等の受光素子を含む受光手段が配設される。これら投光手段と受光手段とで被写体までの距離を測定する測距部が構成される。この測距部（ＡＦ部）は、例えば三角測量の原理に基づいて被写体までの距離を求め、その結果はオートフォーカス（ＡＦ）制御に利用される。
【００１８】
電子カメラ１の上面にはシャッタボタン９、モードダイヤル１０、アップ／ダウンダイヤル１１、アクセサリーシュー１２、液晶表示パネル１３が設けられ、液晶表示パネル１３の左側部には、前から順にストロボボタン１４、消去ボタン１５、マクロボタン１６が並んで設けられている。
モードダイヤル１０は、正／逆両方向に回動自在に設けられ、ダイヤルの設定位置によって電子カメラ１の機能を変更できる。例えば、回転操作のクリック停止位置毎に「ＯＦＦ」−「ＡＵＴＯ」−「ＳＥＴＵＰ」−「Ｐ」−「Ｓ」−「Ａ」−「Ｍ」−「ＰＣ」−「ＰＬＡＹ」と９段階に順にモードが変更され、「ＰＬＡＹ」の次には「ＯＦＦ」に戻ってダイヤルが１回転する。
【００１９】
「ＯＦＦ」モードは電子カメラ１を使用しない場合に設定する位置であり、このモード下では電子カメラ１の電源がＯＦＦされる。「ＡＵＴＯ」は、自動撮影を行う場合に設定されるモードであり、このモード下ではＡＦ及びＡＥ（自動露出制御）が有効に機能し、撮影者はシャッタボタン９を押すだけで、他に特別な操作をすることなく撮影を行うことができる。「ＳＥＴＵＰ」は、日付、時刻、感度補正、圧縮モード、カラー／白黒等の各種設定を行うためのモードであり、このモード下で設定すべき項目毎に液晶表示パネルの表示を確認しながらアップ／ダウンダイヤル１１及び後述するセットボタン２３（図２）を操作して所望の設定入力を行う。
【００２０】
「Ｐ」はプログラムＡＥ、「Ｓ」はシャッタ優先、「Ａ」は絞り優先、「Ｍ」はマニュアル露出の撮影モード設定を行う位置である。これらの各撮影モードにおけるプログラム選択、シャッタ速度設定、絞り値設定等は、アップ／ダウンダイヤル１１及びセットボタン２３を操作して所望の入力を行う。
「ＰＣ」は電子カメラ１とパソコンを専用ケーブルで接続して画像データの送受信を行うモードである。「ＰＬＡＹ」は撮影済の画像を再生する時に設定するモードである。
【００２１】
ストロボボタン１４は撮影モードでストロボの使用の有無を設定する際に用いられるボタンであり、消去ボタン１５はメモリカードに記憶された画像データの消去を指令する際に使用されるボタンである。また、液晶表示パネル１３には、設定された各種スイッチの状態や、バッテリー残量、メモリーの使用状況等が表示される。
【００２２】
図２には、図１に示した電子カメラの背面斜視図が示されている。電子カメラ１の背面にはズームレバー２０が設けられており、このズームレバー２０を上又は下方向に操作することで撮影レンズ２の焦点距離を長焦点側（テレ）又は短焦点側（ワイド）に変更することができる。カメラ背面左上隅部にはファインダの接眼部２２が形成され、該接眼部２２から撮影画角と略等しい視野を観察することができるようになっている。
【００２３】
ファインダの接眼部２２の左横には、セットボタン２３及びオート／ＭＦ（マニュアルフォーカス）ボタン２４が上下に並んで設けられている。セットボタン２３は前述のようにアップ／ダウンダイヤル１１と組み合わせて各種入力設定時に用いられる。
オート／ＭＦボタン２４によって、オートフォーカスが選択されている場合には、シャッタボタン９の押下操作に呼応して前述の測距部によって被写体距離が測定され、被写体距離に応じたピント位置に撮影レンズ２がレンズ駆動手段（図示せず）によって合焦移動される。
【００２４】
オート／ＭＦボタン２４によって、ＭＦが選択されている場合には、セットボタン２３とアップ／ダウンダイヤル１１とを操作して入力設定した被写体距離に前記撮影レンズ２がレンズ駆動手段によって合焦移動される。また、このオート／ＭＦボタン２４は、再生した画像をプリントする際の実行ボタンとしても共用される。
【００２５】
図２中電子カメラ１の右側面部分には、メモリカードカバー２５がヒンジ２６を介して開閉自在に設けられている。電子カメラ１の内部にはメモリカードの装填室が形成されており、前記メモリカードカバー２５を開放して電子カメラ１内にメモリカードを挿入し、又は電子カメラ１からメモリカードを取り出すことができるようになっている。電子カメラ１背面中央部には透明なメモリカード確認窓２７が形成されており、該確認窓２７を介して電子カメラ１内にメモリカードが装填されているか否かを確認できる。
【００２６】
図３は、図１に示した電子カメラの底面を示す斜視図である。
電子カメラ１の底面には後述の拡張ユニット４０と電気的な接続を行うための拡張端子３０、三脚用ネジ穴３２、及びユニット取付け穴３４が設けられている。三脚用ネジ穴３２は拡張ユニットの固定ネジ穴として兼用され、ユニット取付け穴３４は拡張ユニット側に形成されたＬ字状のフック（図４参照）が係合可能なように内部がＬ字状に形成されている。
【００２７】
また、電子カメラ１の底面には、バッテリーカバー３６がヒンジ３７を介して開閉自在に設けられており、該バッテリーカバー３６上に形成されたバッテリーカバーオープンつまみ３８を操作してバッテリーカバー３６を開放することによって電池を交換出来るようになっている。
図４は、図１に示した電子カメラの底面に組付けられる拡張ユニットの外観斜視図である。尚、図４には、拡張ユニット４０の背面側から見た様子が示されている。
【００２８】
拡張ユニット４０の上面には、電子カメラ１の拡張端子３０と嵌合する端子４２と、固定ネジ４３と、略Ｌ字状のフック４４とが設けられている。このフック４４を電子カメラ１側のユニット取付け穴３４に係合させるとともに、固定ネジ４３を三脚用ネジ穴３２に螺合させることで電子カメラ１の底部に拡張ユニット４０が組付けられ、電子カメラ１と拡張ユニット４０は拡張端子３０及び端子４２によって電気的に接続される。尚、拡張端子３０及び端子４２には、例えば４０ピンのコネクタが用いられる。
【００２９】
また、図中拡張ユニット４０の左側面には、図示せぬ２５ピンのＳＣＳＩ端子が設けられ、パソコンやデジタルプリンタ５４とＳＣＳＩケーブルを介して直接接続が可能となっている（図５、図６参照）。
拡張ユニット４０の背面には、スライドスイッチ４６とディップスイッチ４８が設けられている。スライドスイッチ４６は、ＯＦＦ位置、ＳＣＳＩ位置等の切り替えに用いられ、スイッチをＯＦＦ位置に設定するとパワーセーブモードとなり、電子カメラ１側に装着される電池の消耗を抑える。即ち、電子カメラ１に拡張ユニット４０が組付けられていない状態と略同等になる。また、スライドスイッチ４６をＳＣＳＩ位置に設定するとＳＣＳＩ端子を介して接続されたパソコンやデジタルプリンタ５４とのデータの送受が有効になる。即ち、撮影した画像をパソコンに送ることができ、パソコン側で電子カメラ１の撮影操作を行うことができる。また、撮影した画像データをデジタルプリンタ５４に直接転送してプリントすることができる。
【００３０】
一方、ディップスイッチ４８は、４ポジションアップ／ダウン式のものが用いられ、４つのスイッチの組合せによってＳＣＳＩモード下における更に詳細な設定が行われる。即ち、前記スライドスイッチ４６によってＳＣＳＩモードが選択されている場合に、ディップスイッチ４８によって更にパソコン接続を有効とするＰＣ動作モードとするか、或いはプリンタ接続を有効としてプリントを可能にするプリントモードにするかの設定等が行われる。
【００３１】
図５には、図１に示したデシタルカメラと図４に示した拡張ユニットとを組み合わせたシステムの構成が示されている。電子カメラ１は撮影した画像をＮＴＳＣ等の所定の信号形式で送出する映像出力端子を有しており、該映像出力端子をアクセサリーシュー１２に取り付けられる液晶ビューファインダや液晶モニタ５０、又はテレビモニタ等の画像表示装置に接続することにより、スルー画像（動画）や撮影した画像を確認することができる。
【００３２】
また、電子カメラ１内にはメモリカード５２が装填され、撮影した画像データは所定の形式でメモリカード５２に記録される。記録方式には、例えば、Exifフォーマットに準拠する形式が採用され、撮影されたコマ毎にＪＰＥＧ形式で圧縮した画像データと８０×６０画素のサムネイルデータとが一組で記録される。更に、前記画像データと併せて画像データのタグ情報及び本発明に係るカラー／白黒撮影モードの別を示す識別フラグが記録される。
【００３３】
メモリカード５２には、ＰＣカード、又はＰＣカードアダプタによってＰＣカードと互換性を有して使用できるスマートメディア（ＳＳＦＤＣ）が用いられる。メモリカード５２は電子カメラ１から取り出し可能であり、ＰＣカードスロットを有するノートパソコンや、ＰＣカードリーダに挿入することができ、画像データを種々の機器において利用することができる。
【００３４】
電子カメラ１の底面に組付けられた拡張ユニット４０はＳＣＳＩケーブルによってデジタルプリンタ５４と直接接続が可能である。デジタルプリンタ５４と拡張ユニット４０との間では双方向通信が行われ、接続されたデジタルプリンタ５４からはプリンタの機種、用紙サイズ等に関する情報が拡張ユニット４０側に送られる。
【００３５】
図６は、上記電子カメラ等の内部構成の実施の形態を示すブロック図である。この電子カメラ１は、主として撮影レンズ２、ＣＣＤ５６、アナログデコーダ５７、Ａ／Ｄコンバータ５８、カードインターフェース（カードＩ／Ｆ）６０、ＳＣＳＩ・Ｉ／Ｆ６２、中央処理装置（ＣＰＵ）６４、ワークメモリ６８、フレームメモリコントローラ７０、圧縮／伸長エンジン７２、デジタルエンコーダ７６、フレームメモリ７８、及び操作部８０等から構成されている。尚、ＳＣＳＩ・Ｉ／Ｆ６２は、拡張ユニット４０側に設けられている。
【００３６】
被写体からの光は、撮影レンズ２によってＣＣＤ５６の受光面に結像される。ＣＣＤ５６には、例えば、２／３インチ１４０万画素のものが用いられ、該ＣＣＤ５６の受光面に結像された画像光は、Ｒ、Ｇ、Ｂフィルタを有する各センサで所定時間電荷蓄積され、光の強さに応じた量のＲ、Ｇ、Ｂ信号に変換される。
このＲ、Ｇ、Ｂ信号はアナログデコーダ５７に導かれ、ここでＲ、Ｇ、Ｂ信号のゲイン等が制御される。アナログデコータ５７から出力されるＲ、Ｇ、Ｂ信号は、Ａ／Ｄコンバータ５８によってデジタル信号（Ｒ、Ｇ、Ｂデータ）に変換された後、このＲ、Ｇ、Ｂデータは、Ｙ／Ｃ変換処理によりＹ／Ｃデータ（輝度信号Ｙとクロマ信号Ｃ）に変換され、フレームメモリコントローラ７０を介してフレームメモリ７８に格納される。
【００３７】
圧縮／伸長エンジン７２は、ＣＰＵ６４から圧縮コマンドが送られると、フレームメモリ７８上のＹ／Ｃデータを圧縮し、その圧縮データをカードＩ／Ｆ６０を介してメモリカード５２に出力する。これにより圧縮データがメモリカード５２に記録される。また、メモリカード５２に記録された圧縮データを再生する場合には、前記圧縮／伸長エンジン７２は、メモリカード５２から読み出された圧縮データを伸長処理し、この伸長処理したＹ／Ｃデータをフレームメモリ７８に展開する。
【００３８】
デジタルエンコーダ７６は、フレームメモリ７８からフレームメモリコントローラ７０を介してＹ／Ｃデータが加えられており、この入力するＹ／Ｃデータに基づいて例えばＮＴＳＣ方式のカラー複合映像信号を生成し、これを映像出力端子８２に出力する。また、ＣＰＵ６４から白黒映像信号をムービー出力するコマンドを受入すると、デジタルエンコーダ７６は、Ｙ／Ｃデータ中のクロマ信号Ｃのゲインを０に設定して複合映像信号を生成し、これを映像出力端子８２に出力する。
【００３９】
オンスクリーンデバイス（ＯＳＤ）コントローラ７４は、ＣＰＵ６４からのコマンドに基づいて文字等を示す各種のキャラクタ信号を発生し、これをデジタルエンコーダ７６から出力される映像信号に混合させる。
また、後述する撮影プリント又は再生プリントのモード時に、ＣＰＵ６４は、カラープリントする場合にはフレームメモリ７８に格納されたＹ／ＣデータをＲ、Ｇ、Ｂデータに変換し、ワークメモリ６８に格納する。そして、このＲ、Ｇ、ＢデータをＳＣＳＩ・Ｉ／Ｆ６２を介してデジタルプリンタ５４に転送する。一方、白黒プリントする場合には、Ｙ／ＣデータをＲ、Ｇ、Ｂデータに変換する際に、Ｙ／Ｃデータのクロマ信号Ｃを切り捨て、輝度信号ＹをＹ＝Ｒ＝Ｇ＝Ｂに置き換え、このＲ、Ｇ、ＢデータをＳＣＳＩ・Ｉ／Ｆ６２を介してデジタルプリンタ５４に転送する。尚、ＲＯＭ６６には、制御プログラム及び各プリンタの機種に応じた色補正用ルックアップテーブル（ＬＵＴ）が格納されている。
【００４０】
次に、上記の如く構成された電子カメラの作用について説明する。
ＣＰＵ６４は、電子カメラ１を統括制御するもので、シャッタボタン９、モードダイヤル１０、アップ／ダウンダイヤル１１等を含むの操作部８０から各種のスイッチ入力に基づいて通常の撮影モード、撮影プリントモード、再生プリントモード等を判別し、各モードに応じて各回路を制御する。
【００４１】
ここで、撮影モードは、撮影したカラー画像データをメモリカード５２に記録するモードであり、電子カメラ１のモードダイヤル１０を「ＡＵＴＯ」、「Ｐ」、「Ｓ」、「Ａ」、「Ｍ」のうちの何れかに合わせ、また拡張ユニット４０を電子カメラ１に接続しない場合、又は拡張ユニット４０のスライドスイッチ４６をＳＣＳＩ位置に切り替えない場合に設定されるモードである。
【００４２】
撮影プリントモードは、撮影した画像をＳＣＳＩ接続されたデジタルプリンタ５４に直ちにプリントするモードであり、電子カメラ１のモードダイヤル１０を「ＡＵＴＯ」、「Ｐ」、「Ｓ」、「Ａ」、「Ｍ」のうちの何れかに合わせ、また拡張ユニット４０のスライドスイッチ４６をＳＣＳＩ位置に切り替え、更にディップスイッチ４８によりＳＣＳＩモード下でプリンタ接続を有効とすることを選択した場合に設定されるモードである。
【００４３】
また、再生プリントモードは、再生した画像をＳＣＳＩ接続されたデジタルプリンタ５４にプリントするモードであり、電子カメラ１のモードダイヤル１０を「ＰＬＡＹ」に合わせ、また拡張ユニット４０のスライドスイッチ４６をＳＣＳＩ位置に切り替え、更にディップスイッチ４８によりＳＣＳＩモード下でプリンタ接続を有効とすることを選択した場合に設定されるモードである。
【００４４】
次に、電子カメラ１が撮影モードに設定された場合の処理動作について、図７に示すフローチャートを参照しながら説明する。
この撮影モードでは、まずカラー撮影モードか白黒撮影モードかが判別される（ステップＳ１０）。尚、カラー／白黒撮影モードの設定は、モードダイヤル１０を「ＳＥＴＵＰ」に合わせ、アップ／ダウンダイヤル１１を回転操作して液晶表示パネル１３にカラー又は白黒の項目を表示させ、セットボタン２３を操作することにより行う。
【００４５】
カラー撮影モードが設定されると、ＣＰＵ６４からのコマンドによりカラー映像信号又は白黒映像信号の切り替えが可能なデジタルエンコーダ７６は、映像出力端子８２を介して液晶モニタ５０（図５参照）にカラー映像信号をムービー出力する（ステップＳ１２）。これにより、液晶モニタ５０には、カラー画像が動画として表示されることになる。また、カラー撮影モードが設定されると、カラー／白黒を識別するための識別フラグＦが“0" に設定される（ステップＳ１４）。
【００４６】
一方、白黒撮影モードが設定されると、前記デジタルエンコーダ７６は、映像出力端子８２を介して液晶モニタ５０に白黒映像信号をムービー出力する（ステップＳ１６）。これにより、液晶モニタ５０には、白黒画像が動画として表示されることになる。また、白黒撮影モードが設定されると、カラー／白黒を識別するための識別フラグＦを“1" に設定する（ステップＳ１８）。
【００４７】
撮影者は、上記液晶モニタ５０に表示されている画像が、カラー画像か白黒画像かによってカラー撮影モードに設定されているか、白黒撮影モードに設定されているかを確認することができる。
続いて、シャッタボタン９がＯＮされたか否かを判別する（ステップＳ２０）。シャッタボタン９がＯＮされない場合にはステップＳ１０に戻り、カラー画像又は白黒画像が液晶モニタ５０に引き続き表示される。従って、カラー画像又は白黒画像を見ながら構図等を決めることができ、また、カラー撮影モードから白黒撮影モード又は白黒撮影モードからカラー撮影モードに切り替えることもできる。
【００４８】
ここで、シャッタボタン９がＯＮされると、ＣＣＤ５６より記録用のＲ、Ｇ、Ｂデータの取り込みが行われ（ステップＳ２２）、このＲ、Ｇ、ＢデータはＹ／Ｃデータに変換されてフレームメモリ７８に格納される（ステップＳ２４）。フレームメモリ７８に格納されたＹ／Ｃデータは、圧縮／伸長エンジン７２により圧縮され（ステップＳ２６）、この圧縮データはメモリカード５２に記録される（ステップＳ２８）。
【００４９】
また、上記圧縮データ（画像データ）のタグをメモリカード５２に記録し、この際にカラー／白黒撮影モードを示す識別フラグＦも併せて記録する（ステップＳ３０）。即ち、メモリカード５２には、カラー／白黒撮影モードにかかわらずカラー画像データが記録され、カラー／白黒撮影モードを示す識別フラグＦが記録される。
【００５０】
次に、電子カメラ１が撮影プリントモードに設定された場合の処理動作について、図８に示すフローチャートを参照しながら説明する。尚、図７に示した撮影モードと共通する処理には、同一のステップ番号を付し、その詳細な説明は省略する。
前記撮影モードでは画像データをメモリカード５２に記録するが、この撮影プリントモードでは画像データをプリント出力する点で相違している。即ち、ステップＳ２４でＹ／Ｃデータに変換し、該Ｙ／Ｃデータをフレームメモリ７８に格納した後、カラー／白黒撮影モードを示す識別フラグＦが“0" か“1" かを判別する（ステップＳ４０）。
【００５１】
識別フラグＦが“0" の場合（カラー撮影モードの場合）には、フレームメモリ７８に格納されたＹ／ＣデータをＲ、Ｇ、Ｂデータに変換し（ステップＳ４２）、このＲ、Ｇ、Ｂデータをワークメモリ６８に格納する（ステップＳ４６）。一方、識別フラグＦが“1" の場合（白黒撮影モードの場合）には、フレームメモリ７８に格納されたＹ／Ｃデータのクロマ信号Ｃを切り捨て、輝度信号ＹをＹ＝Ｒ＝Ｇ＝Ｂに置き換え（ステップＳ４４）、このＲ、Ｇ、Ｂデータをワークメモリ６８に格納する（ステップＳ４６）。
【００５２】
そして、ワークメモリ６８に格納されたＲ、Ｇ、Ｂデータは、接続されたデジタルプリンタ５４に対応したＬＵＴを用いて補正が加えられたのち、デジタルプリンタ５４に向けて転送される（ステップＳ４８）。次いで、デジタルプリンタ５４にプリント実行を指示する（ステップＳ５０）。これにより、デジタルプリンタ５４によりカラープリント又は白黒プリントが行われる。
【００５３】
次に、電子カメラ１が再生プリントモードに設定された場合の処理動作について、図９に示すフローチャートを参照しながら説明する。尚、図８に示した撮影プリントモードと共通する処理には、同一のステップ番号を付し、その詳細な説明は省略する。
前記撮影プリントモードでは撮影時に取得した画像データを直ちにプリント出力するが、この再生プリントモードではメモリカード５２から読み出した画像データをプリント出力する点で相違している。
【００５４】
即ち、メモリカード５２から圧縮データ（画像データ）を取り込み（ステップＳ６０）、取り込んだ圧縮データを圧縮／伸長エンジン７２により伸長処理し、この伸長処理したＹ／Ｃデータをフレームメモリ７８に展開する（ステップＳ６２）。尚、再生開始時には、メモリカード５２から最新の圧縮データを取り込む。
【００５５】
続いて、前記取り込んだ圧縮データと関連付けて記録されたカラー／白黒撮影モードを示す識別フラグＦが“0" か“1" かを判別する（ステップＳ６４）。識別フラグＦが“0" の場合には、前記フレームメモリ７８に展開されたＹ／Ｃデータから映像信号を生成するデジタルエンコーダ７６は、カラー映像信号を映像出力端子８２を介して液晶モニタ５０に出力する（ステップＳ６６）。一方、識別フラグＦが“1" の場合には、デジタルエンコーダ７６は、白黒映像信号に変換して該白黒映像信号を映像出力端子８２を介して液晶モニタ５０に出力する（ステップＳ６８）。
【００５６】
これにより、カラー撮影モードが選択されて撮影記録されたカラー画像データは、カラー画像として液晶モニタ５０に表示され、白黒撮影モードが選択されて撮影記録されたカラー画像データは、白黒画像に変換されて液晶モニタ５０に表示される。
その後、ステップＳ７０では、別の画像を選択するか否かが判別される。別の画像を選択するか否かは、アップ／ダウンダイヤル１１の操作に基づいて判別され、アップ／ダウンダイヤル１１が操作されると、その操作に応じてステップＳ６０で別の圧縮データが取り込まれ、これにより再生画像のコマ送りが行われる。
【００５７】
ステップＳ７２では現在再生中の画像のプリント指示があるか否かが判別される。このプリント指示は、再生画像のプリントの実行ボタンとして共用されるオート／ＭＦボタン２４の操作によって行われる。
そして、プリント指示入力があると、図８で説明したように識別フラグＦが“0" か“1" かを判別し（ステップＳ４０）、その判別結果に基づいてフレームメモリ７８に格納されたＹ／ＣデータをＲ、Ｇ、Ｂデータに変換し（ステップＳ４２、又はＳ４４）、このＲ、Ｇ、Ｂデータをワークメモリ６８に格納する（ステップＳ４６）。そして、ワークメモリ６８に格納されたＲ、Ｇ、Ｂデータをデジタルプリンタ５４に転送し（ステップＳ４８）、次いでデジタルプリンタ５４にプリント実行を指示する（ステップＳ５０）。これにより、デジタルプリンタ５４によりカラープリント又は白黒プリントが行われる。
【００５８】
尚、この実施の形態では、カラー／白黒撮影モードの別を示す識別フラグに基づいてカラー画像データをカラー画像又は白黒画像としてモニタに再生し、また、カラープリント又は白黒プリントするようにしたが、メモリカード５２には、カラー／白黒撮影モードにかかわらずカラー画像データが記録されているため、カラー／白黒プリントの別を改めて設定することにより、識別フラグに優先してカラー画像を白黒画像に又は白黒画像をカラー画像にして再生及びプリントすることができる。
【００５９】
また、この実施の形態では、電子カメラにモニタが外付けできるように構成されているが、これに限らず、モニタが一体的に設けられた電子カメラでもよく、更にプリンタもカメラに内蔵されたものでもよい。
【００６０】
【発明の効果】
以上説明したように本発明によれば、カラー撮影モード時にカラー画像信号をモニタにムービー出力し、白黒撮影モード時に白黒画像信号をモニタにムービー出力するようにしたため、モニタに表示されている画像がカラー画像か白黒画像かにより、カラー撮影モードか白黒撮影モードのいずれが選択されているかを容易に確認することができる。また、カラープリント時にはカラー画像がモニタに表示され、白黒プリント時には白黒画像がモニタに表示されるため、プリント開始前にカラープリントされるか白黒プリントされるかも容易に確認することができる。
【００６１】
更に、カラー／白黒撮影モードにかかわらず、カラー画像信号を記録するとともに、カラー／白黒撮影モードのいずれかを示す識別情報を記録するようにしたため、この識別情報を用いてカラー画像として撮影された画像をカラー画像として再生及び／又はプリント出力することができ、白黒画像として撮影された画像を白黒画像として再生及び／又はプリント出力することができる。
【００６２】
また、前記識別情報にかかわらずカラー／白黒の切り替えにより改めてカラー／白黒の設定ができ、カラー画像として撮影された画像を白黒画像として再生及び／又はプリント出力することができ、白黒画像として撮影された画像をカラー画像として再生及び／又はプリント出力することもできる。従って、証明写真のように同一画像を複数枚同一ペーパー上にプリントする場合に、カラー／白黒の混在プリントも容易に実現できる。
【図面の簡単な説明】
【図１】本発明に係る電子カメラの実施の形態を示す外観斜視図
【図２】図１に示した電子カメラの背面斜視図
【図３】図１に示した電子カメラの底面斜視図
【図４】拡張ユニットの外観斜視図
【図５】図１に示した電子カメラと該電子カメラと接続される機器とを組み合わせたシステムの構成図
【図６】電子カメラ等の内部構成の実施の形態を示すブロック図
【図７】撮影モード時の処理動作を説明するために用いたフローチャート
【図８】撮影プリントモード時の処理動作を説明するために用いたフローチャート
【図９】再生プリントモード時の処理動作を説明するために用いたフローチャート
【符号の説明】
１…電子カメラ、２…撮影レンズ、９…シャッタボタン、４０…拡張ユニット、５２…メモリカード、５４…デジタルプリンタ、５６…ＣＣＤ、６０…カードＩ／Ｆ、６２…ＳＣＳＩ・Ｉ／Ｆ、６４…ＣＰＵ、６８…ワークメモリ、７０…フレームメモリコントローラ、７２…圧縮／伸長エンジン、７６…デジタルエンコーダ、７８…フレームメモリ、８０…操作部、８２…映像出力端子
【図１】
0004400953.tif 000002
【図２】
0004400953.tif 000003
【図３】
0004400953.tif 000004
【図４】
0004400953.tif 000005
【図５】
0004400953.tif 000006
【図６】
0004400953.tif 000007
【図７】
0004400953.tif 000008
【図８】
0004400953.tif 000009
【図９】
0004400953.tif 000010